(57)【特許請求の範囲】
【請求項１】
電池に充電電圧及び充電電流を供給する直流電源手段と、充電容量、充電異常等の状態を表示する表示手段と、該表示手段に表示内容を指示し、充電電圧及び充電電流から充電完了或いは充電異常を検出して前記直流電源手段からの充電電圧及び充電電流を停止させる充電制御手段と、充電電圧から制御用電源を生成して充電制御手段に供給する制御電源手段と、を備えた充電器であって、前記充電制御手段は、充電完了或いは充電異常の場合に直流電源手段の出力を停止させるもので、これによって制御電源手段を介するこの充電制御装置への電力供給が停止されるものであり、且つ、同充電制御手段は、充電中に充電異常が発生した場合に異常が発生したことを記憶する不揮発性の記憶素子でなる記憶手段を有し、該記憶手段に異常記憶があれば充電再開始時に前記表示手段に異常を表示させることを特徴とする充電器。
【発明の詳細な説明】
【０００１】
【発明の属する技術分野】
本発明は、電池を充電する充電器に関する。
【０００２】
【従来の技術】
従来の充電器を図４にて説明する。直流電源手段１は、定電圧定電流直流電源であり、商用電源等の外部電源を変換して電池５へ充電電力（充電電圧、充電電流）Ｐｂを出力する。
【０００３】
制御電源手段２は、一般的にはＤＣ／ＤＣコンバータで構成され、充電電力Ｐｂを制御電源Ｖｃに降圧して充電制御手段３へ供給する。
【０００４】
充電制御手段３は、電圧検出手段Ｓ１により検出された充電電圧Ｖｂ及び電流検出手段Ｓ２により検出された充電電流Ｉｂに基づいて、充電完了あるいは充電異常ならばリレーＲＹ１を開放して電池５への充電を停止させるとともに、充電容量及び充電異常内容等を表示手段４に表示させる。
【０００５】
次に、図５に定電圧定電流充電方式で、正常に充電が完了したときのタイミングチャートを示す。図に示すようにａ点までは充電電流が大きいので、直流電源手段１の定電流機能が動作する。電池５が充電されるに従って充電電流が減少し、ｂ点から直流電源手段１の定電圧機能が動作する。ｃ点まで即ち予め定めた所定の時間経過したならば満充電と判断し、過充電を防止するためにリレーＲＹ１を開放して電池５への充電動作を停止させる。
【０００６】
図６に、充電異常で充電停止した場合のタイミングチャートを示す。充電電流が予め定めた過電流判定レベルＩｐを越えたならば、図に示すｄ点において、リレーＲＹ１を開放して直流電源手段１からの電池５への充電電力供給を停止させる。
【０００７】
【発明が解決しようとする課題】
ところで、上述した構成では電池への充電動作を停止しても直流電源手段の出力を停止させないので、充電完了後も充電制御装置が電力を消費続けるという問題点がある。また直流電源手段が故障した場合（定電圧機能が故障し、過電圧になる場合若しくは定電流機能が故障し、過電流になる場合）に制御電源手段及び充電制御手段を破壊してしまう可能性がある。更に、電池への充電動作を停止する為にリレーを用いているが、このリレーは充電電力を開閉できうる接点容量が必要となり、結果部品形状が大きくなるとともに且コストも高くなる。
【０００８】
本発明は、この点を鑑みてなされたものであり、その第１の目的とするとこ
ろは、充電完了或いは充電中に異常が発生した場合、直流電源手段の出力を停止し、充電制御装置への電力供給が停止することにより充電異常発生後から再使用時までの電力消費を低減し、また再供給時に充電異常があったことを報知する優れた充電器を提供することであり、第２の目的とするところは従来のような充電動作を停止する為のリレーが不要とし、装置の小型化及びコストの低減が図れる優れた充電器を提供することである。
【０００９】
【課題を解決するための手段】
請求項１の本発明では、電池に充電電圧及び充電電流を供給する直流電源手段と、充電容量、充電異常等の状態を表示する表示手段と、該表示手段に表示内容を指示し、充電電圧及び充電電流から充電完了或いは充電異常を検出して前記直流電源手段からの充電電圧及び充電電流を停止させる充電制御手段と、充電電圧から制御用電源を生成して充電制御手段に供給する制御電源手段と、を備えた充電器であって、前記充電制御手段は、充電完了或いは充電異常の場合に直流電源手段の出力を停止させるもので、これによって制御電源手段を介するこの充電制御装置への電力供給が停止されるものであり、且つ、同充電制御手段は、充電中に充電異常が発生した場合に異常が発生したことを記憶する不揮発性の記憶素子でなる記憶手段を有し、該記憶手段に異常記憶があれば充電再開始時に前記表示手段に異常を表示させることを特徴とするものである。
【００１０】
【発明の実施の形態】
以下、本発明に係る充電制御装置の一実施の形態を図１乃至３に基づいて説明する。
【００１１】
図１に全体構成図を示す。全体構成は上述した従来例と略等しいので、異なる部分のみについて説明する。
【００１２】
直流電源手段１は、定電圧定電流直流電源で、商用電源等の外部電源を変換して電池５へ充電電力（充電電圧、充電電流）Ｐｂを出力し、充電完了或いは充電異常時には充電制御手段３からの出力停止信号Ｓを受けて、電池５への充電電力Ｐｂの供給を停止する。
【００１３】
充電制御手段３は、図２に示すように、プログラムを保存するＲＯＭ３ｂと
、演算を行うＣＰＵ３ａと、データを一時的に保存するＲＡＭ３ｃと、データを電気的に書き換え可能で、電源切断時もデータ保存できるＥＥＰＲＯＭ３ｄなどの不揮発性の記憶素子と、周辺装置とＣＰＵとの信号変換を行うＩ／Ｏ３ｅと、から構成される。
【００１４】
充電制御手段３の動作を図３のフローチャートに基づいて説明する。先ずｓｔｅｐ１にて充電開始し制御電源手段２から制御電源が充電制御手段３に供給され、プログラム動作を開始する。次に、ｓｔｅｐ２にてＥＥＰＲＯＭから充電異常データをＲＡＭに転送する。ｓｔｅｐ３乃至５にて充電異常ならば表示手段４に異常を表示して、異常表示タイマを起動し、ｓｔｅｐ７に移行する。異常表示タイマは起動後所定時間経過したならば、ｓｔｅｐ１３にてリセットされる。充電異常で無いならば、ｓｔｅｐ６にて充電容量を表示する。ｓｔｅｐ７にて充電電圧、充電電流を検出し、ｓｔｅｐ８にて満充電を判定する。満充電ならば、ｓｔｅｐ９にてＥＥＰＲＯＭに充電正常データを保存し、ｓｔｅｐ１２にて充電停止するように直流電源手段１に停止信号Ｓを出力する。満充電でないならば即ち充電完了でないならば、ｓｔｅｐ１０にて充電異常を判定し、充電異常ならば、ｓｔｅｐ１１にてＥＥＰＲＯＭに充電異常データを保存して、ｓｔｅｐ１２にて充電停止する。充電異常でないならば、ｓｔｅｐ１３にて異常表示タイマがリセットか判定し、リセットでないならばｓｔｅｐ３へ移行し、リセットならばｓｔｅｐ１４にて充電異常データを消去してｓｔｅｐ３へ移行する。
【００１５】
なお、ｓｔｅｐ８における充電完了判定は、例えば、直流電源手段１の定電圧機能が動作してからの所定時間経過、或いは予め定めた所定の充電電流値にて充電完了即ち満充電であると判定する。またｓｔｅｐ１０における充電異常判定は、例えば、電圧検出手段Ｓ１により検出された充電電圧Ｖｂが予め定めた所定電圧以上の場合、又は電流検出手段Ｓ２により検出された充電電流Ｉｂが予め定めた所定電流以上の場合、あるいは、充電時間が電池容量を超えるような時間より長くなった場合に充電異常であると判定する。
【００１６】
以上のことにより、電池への充電完了或いは充電中に異常が発生した場合において、充電制御手段が直流電源手段の出力を停止する為に充電制御装置への電力供給が停止され、充電完了後または充電異常発生後から再使用時までの電力消費が低減する。また、充電再開時には充電異常があったことを報知する為に充電異常の報知を確実に行うことができる。更に、従来のような電池への充電動作を停止する為のリレーが不要となり装置の小型化及びコストの低減が図れる。
【００１７】
【発明の効果】
以上説明したように、請求項１の発明にあっては、充電完了或いは充電中に異常が発生した場合、直流電源手段の出力を停止するため、充電制御装置への電力供給が停止されるので充電完了若しくは充電異常発生後から再使用時までの電力消費を低減し、また充電再開時には充電異常があったことを報知する為に異常の報知を確実に行うことができるとともに、従来のような充電動作を停止する為のリレーが不要となり、装置の小型化及びコストの低減が図れると言う効果を奏する。
【図面の簡単な説明】
【図１】本発明の一実施の形態に係る充電器の全体構成を示す図である。
【図２】上記充電器における充電制御手段の回路の構成を示す図である。
【図３】上記充電器における充電制御手段の動作フローチャートである。
【図４】従来の一実施の形態に係る充電器の全体構成を示す図である。
【図５】従来の充電器の充電完了時のタイミングチャートである。
【図６】従来の充電器の充電異常時のタイミングチャートである。
【符号の説明】
１      直流電源手段
２      制御電源手段
３      充電制御手段
４      表示手段
５      電池
ＲＹ１  リレー
３ａ    ＣＰＵ
３ｂ    ＲＯＭ
３ｃ    ＲＡＭ
３ｄ    ＥＥＰＲＯＭ
３ｅ    Ｉ／Ｏ
【図１】
0003546737.tif 000002
【図２】
0003546737.tif 000003
【図３】
0003546737.tif 000004
【図４】
0003546737.tif 000005
【図５】
0003546737.tif 000006
【図６】
0003546737.tif 000007